(57)【要約】【課題】回線の極性反転を半導体ＤＡＡで検出するファクシミリ装置などの通信装置において、当該通信装置に電話器が接続された場合にも回線の極性反転の検出を正確に行うことができる通信装置を提供すること。【解決手段】電話器と電話回線を共用するとともに、ダイヤルイン接続機能を有し、着呼応答手順時に予め登録されているダイヤルイン番号を検出すると、対応する電話器に対して呼出音を送出する通信装置において、所定時間当たりの電圧変動が閾値を超えたか否かによって、電話回線の極性反転を検出するＤＡＡ（ＬＳＤ）１１と、電話回線の極性反転を検出するための極性反転閾値を自通信装置と自通信装置に接続される電話器１３との物理的な接続状態に応じて設定する操作部６と、を備え、ＤＡＡ（ＬＳＤ）１１は、操作部６によって設定された極性反転閾値に基づいて回線の極性反転を検出する。【選択図】        図１
2008072554.tif 000002
【特許請求の範囲】
【請求項１】
電話器と電話回線を共用するとともに、ダイヤルイン接続機能を有し、着呼応答手順時に予め登録されているダイヤルイン番号を検出すると、対応する電話器に対して呼出音を送出する通信装置において、
所定時間当たりの電圧変動が閾値を超えたか否かによって、前記電話回線の極性反転を検出する極性反転検出手段と、
前記電話回線の極性反転を検出するための極性反転閾値を自通信装置と自通信装置に接続される電話器との物理的な接続状態に応じて設定する設定手段と、
を備え、
前記極性反転検出手段は、前記設定手段によって設定された極性反転閾値に基づいて回線の極性反転を検出することを特徴とする通信装置。
【請求項２】
前記設定手段は、自通信装置に接続される電話器の有無に基づいて極性反転閾値を設定することを特徴とする請求項１に記載の通信装置。
【請求項３】
前記設定手段は、自通信装置に接続される電話器の台数に基づいて極性反転閾値を設定することを特徴とする請求項１に記載の通信装置。
【請求項４】
前記極性反転閾値は、自通信装置に接続される電話器の接続台数が増加するにつれ、小さくなることを特徴とする請求項２または３に記載の通信装置。
【請求項５】
自通信装置への電話器の接続の有無を検出する電話器検出手段をさらに備え、
前記設定手段は、前記電話器検出手段によって検出された電話器の接続の有無にしたがって、極性反転閾値を設定することを特徴とする請求項１または２に記載の通信装置。
【請求項６】
前記電話器検出手段は、前記電話器がオンフック状態で有する容量成分に基づいて電話器の接続の有無を検出することを特徴とする請求項５に記載の通信装置。
【発明の詳細な説明】
【技術分野】
【０００１】
本発明は、通信装置に関し、特に、並列に接続された外付け電話器と自装置との間の通信の自動切替え機能を有する通信装置に関するものである。
【背景技術】
【０００２】
１つの契約番号で通信装置としてのファクシミリ装置（以下、ＦＡＸという）と電話器を公衆電話回線に接続する場合に、ＦＡＸが有するダイヤルイン機能を用いて内線番号を各端末に持たせることによって、送信側端末は各々の端末を呼び出すことが可能となる。
【０００３】
図９は、ＦＡＸにおける電話器とＦＡＸの自動切替えを実行する部分の機能を模式的に示す構成図であり、図１０は、ＦＡＸのダイヤルイン機能の処理手順を示すシーケンス図である。ＦＡＸ１０１は、ダイヤルイン機能を実現するために、公衆電話回線網に接続される公衆電話回線（局線Ｌ１，Ｌ２）と電話器との間の通信のオン／オフを行うリレー１２１と、送信側端末によって呼び出された電話器を呼び出す擬似鳴動回路１２３と、を備える。図９に示されるように、ＦＡＸ１０１は、リレー１２１で、１本の電話回線（局線Ｌ１，Ｌ２）に対して、電話器をＴ１，Ｔ２を介してＦＡＸ１０１と並列接続させたり、切り離したりする。電話器は電話回線から切り離されている状態では、ＦＡＸ１０１が有する擬似鳴動回路１２３と接続されている。これによって、ＦＡＸ１０１に接続された電話器を呼び出す場合は加入者線交換機からではなく、ＦＡＸ１０１が擬似的に呼び出す仕組みとなっている。
【０００４】
図１０に示されるように、このような回路構成で、まず送信側端末からＦＡＸ１０１に接続された電話器宛ての呼出を受けた場合、加入者線交換機は局線Ｌ１，Ｌ２のＤＣ電圧を極性反転させた後（ＳＱ１０１）、呼出信号を送信する（ＳＱ１０２）。受信側のＦＡＸ１０１は呼出信号に対して一次応答（回線閉結）してループを形成する（ＳＱ１０３）。その後、送信側端末で指定された内線番号が加入者線交換機から通知されると（ＳＱ１０４）。これによって、ＦＡＸ１０１は指定端末を特定する。受信側のＦＡＸ１０１は通知された内線番号を認識すると、回線を開放する（ＳＱ１０５）。これにより、ＦＡＸ１０１から加入者線交換機に内線指定番号受信完了信号が通知される。
【０００５】
ここで、呼出された内線番号がＦＡＸ１０１に対する番号の場合には、続けてＦＡＸ１０１が二次応答（回線閉結）してループを形成する（ＳＱ１０７）。加入者線交換機は、ＦＡＸ１０１から二次応答を受けると、局線Ｌ１，Ｌ２の極性を戻して（以下、復極という、ＳＱ１０８）、データ通信を行う（ＳＱ１０９）。一方、呼出された内線番号が電話器に対する番号の場合には、ＦＡＸ１０１内の擬似鳴動回路１２３が、対象となる電話器を鳴動させて、呼び出す（ＳＱ１０６）。その後、対象となる電話器がオフフックされると、上記のＦＡＸ１０１の場合と同様にＳＱ１０７〜ＳＱ１１０の手順が実行される。ただし、この場合には、ＳＱ１０９において通話による通信が行われる。
【０００６】
この一次応答（ＳＱ１０３）前のＳＱ１０２での極性反転を検出する方法としては、従来、フォトカプラおよびそれに付随するＲＣ回路を用いて行われる技術が知られている（たとえば、特許文献１参照）。この特許文献１には、一次応答後の電話器を擬似的に呼出中に、送信側が回線を開放した時に起きる極性反転の検出を行う極性反転検出手段として、フォトカプラおよびＬ１−Ｌ２間のコンデンサと電流制限用抵抗の組合せからなる構成が開示されている。この極性反転検出手段は、オンフック時の極性反転をフォトカプラに流れる電流で検出する構成としている。
【０００７】
【特許文献１】特許第３５０６８１１号公報
【発明の開示】
【発明が解決しようとする課題】
【０００８】
一方、近年の半導体技術やアイソレーション技術の進歩に伴って、半導体素子を用いた半導体ＤＡＡ（Data Access Arrangement）でＦＡＸの網制御回路が形成されるようになってきている。このように網制御回路に半導体ＤＡＡを用いる構成では、特許文献１に示したフォトカプラとこれに付随するＲＣ回路を用いて極性反転の検出を行うのではなく、半導体ＤＡＡ内部の検出回路を用いて極性反転の検出を行っている。具体的には、局線Ｌ１，Ｌ２間の電圧の変化量をモニタリングし、回線電圧変化の立上りと立下りを検出して二値化することで、極性反転を検出するものである。
【０００９】
しかし、このような従来の半導体ＤＡＡによる極性反転検出方式は、所定時間当りの電圧変動が閾値を超えた場合に極性反転を検出するものであるが、電話器の接続によって、検出感度にばらつきが生じてしまうという問題点があった。図１１−１〜図１１−２は、極性反転の発生と電圧変動の関係を模式的に示す図であり、図１１−１は、ＦＡＸに電話器が接続されていない場合を示し、図１１−２は、ＦＡＸに電話器が接続されている場合を示している。また、これらの図で、横軸は時間の経過を示し、縦軸は電圧変動を示している。
【００１０】
ＦＡＸに電話器が接続されていない場合で、極性反転がない場合には、局線Ｌ１，Ｌ２間の電位差は一定で電圧変動はない。図１１−１に示されるように、その結果、時刻ｔ0〜ｔ1では、半導体ＤＡＡは所定時間（Δｔ）当りの電圧変動（ΔＶ）＝０Ｖと読める。その後、極性反転が発生すると、局線Ｌ１，Ｌ２間の電位差は変わらないものの、極性が反転するので、半導体ＤＡＡは、局線Ｌ１，Ｌ２の電位差分の電圧変動が発生したことを、読み出すことができる。つまり、図１１−１に示されるように、極性反転が時刻ｔ1で発生すると、電圧変動が一瞬に生じるが、この電圧変動を示す曲線の立ち上がりが急峻となる。この場合、所定時間（Δｔ）当りの電圧変動はΔＶ１であり、この所定時間（Δｔ）当りの電圧変動ΔＶ１を半導体ＤＡＡは検出する。
【００１１】
一方、ＦＡＸに電話器が接続されている場合で、極性反転が発生しない場合には、上記の場合と同様に局線Ｌ１，Ｌ２間の電位差は一定で電圧変動はない。図１１−２に示されるように、その結果、時刻ｔ0〜ｔ1では、半導体ＤＡＡは所定時間（Δｔ）当りの電圧変動（ΔＶ）＝０Ｖと読める。その後、極性反転が発生すると、オンフック状態の電話器はコンデンサがＦＡＸに並列接続されているような状態であるので、図１１−２に示されるように、電話器の容量成分により極性反転時の電圧変動に波形的な鈍り（緩やかに変動する）が発生してしまう。その結果、半導体ＤＡＡは、所定時間（Δｔ）当りの電圧変動（ΔＶ２）は、図１１−１の電話器が並列接続されていない場合に比べて小さく読むことになってしまう。つまり、電話器がＦＡＸに並列接続されていると、極性反転の検出感度が悪くなってしまうという問題があった。
【００１２】
この問題の具体例としては、ＦＡＸが低電力モードの場合に、図１０のＳＱ１０１の極性反転やＳＱ１０２の呼出信号にて省エネから復帰する場合を挙げることができる。このような条件では、呼出信号による電圧変動よりも極性反転による電圧変動の方が小さいことが殆どであるため、極性反転による省エネからの復帰ができずに呼出信号で省エネから復帰する場合がある。この場合、省エネ復帰後のシステム起動処理に時間がかかり、図１０のＳＱ１０３のダイヤルインの一次応答に間に合わない場合が発生してしまうという問題点があった。つまり、加入者線交換機が発する内線番号を識別できないという問題点があった。
【００１３】
本発明は、上記に鑑みてなされたものであって、回線の極性反転を半導体ＤＡＡで検出するファクシミリ装置などの通信装置において、当該通信装置に電話器が接続された場合にも回線の極性反転の検出を正確に行うことができる通信装置を提供することを目的とする。
【課題を解決するための手段】
【００１４】
上述した課題を解決し、目的を達成するために、本発明は、電話器と電話回線を共用するとともに、ダイヤルイン接続機能を有し、着呼応答手順時に予め登録されているダイヤルイン番号を検出すると、対応する電話器に対して呼出音を送出する通信装置において、所定時間当たりの電圧変動が閾値を超えたか否かによって、前記電話回線の極性反転を検出する極性反転検出手段と、前記電話回線の極性反転を検出するための極性反転閾値を自通信装置と自通信装置に接続される電話器との物理的な接続状態に応じて設定する設定手段と、を備え、前記極性反転検出手段は、前記設定手段によって設定された極性反転閾値に基づいて回線の極性反転を検出することを特徴とする。
【発明の効果】
【００１５】
本発明によれば、通信装置への電話器の接続の有無に合わせて、回線の極性反転を検出する際の単位時間当たりの電圧の変動値の基準となる閾値を変動させるようにしたので、通信装置への電話器の接続状態によらずに、極性反転を正確に検出することができるという効果を有する。
【発明を実施するための最良の形態】
【００１６】
以下に添付図面を参照して、本発明にかかる通信装置の最良な実施の形態を詳細に説明する。なお、この実施の形態により本発明が限定されるものではない。
【００１７】
図１は、本発明にかかる通信装置の構成を示すブロック図である。この通信装置は、主制御部１、システムメモリ２、パラメータメモリ３、スキャナ４、プロッタ５、操作部６、符号化復号化部７、画像メモリ８、ＦＡＸモデム９、ＤＡＡ（ＳＳＤ）１０、ＤＡＡ（ＬＳＤ）１１、ＤＡＡ周辺回路１２を備える。ここで、主制御部１、システムメモリ２、パラメータメモリ３、スキャナ４、プロッタ５、操作部６、符号化復号化部７、画像メモリ８、ＦＡＸモデム９、ＤＡＡ（ＳＳＤ）１０、ＤＡＡ周辺回路１２の各要素間でのデータのやり取りは、内部バス１４を介して相互に行われる。また、ＤＡＡ（ＬＳＤ）１１とＤＡＡ（ＳＳＤ）１０間と、ＤＡＡ（ＬＳＤ）１１とＤＡＡ周辺回路１２間との間のデータのやり取りは、それぞれ直接行われている。また、ＤＡＡ周辺回路１２には、電話器１３が接続される。
【００１８】
主制御部１は、通信装置全体を制御する。システムメモリ２は、主制御部１が実行する制御処理プログラムと、制御処理プログラムを実行する際に必要な各種データを記憶するとともに主制御部１のワークエリアを構成する。パラメータメモリ３は、電話器１３を呼び出すための内線番号登録情報の記憶と、通信装置固有の各種情報を記憶する。また、本実施の形態では、通信装置に電話器１３が接続されているか否か、また接続されている場合には何台の電話器が接続されているのかを示す電話器接続状態情報と、電話器の接続の有無に応じて電話回線の極性反転の検出の際の極性反転閾値を定義した電話器接続情報とを記憶する。
【００１９】
スキャナ４は、ＦＡＸを用いたデータ通信を行う際に原稿を読み取る。また、プロッタ５は、送信側装置から受信した受信画像の印字出力を行う。操作部６は、通信装置を操作するための操作キーと、操作を行う際に必要な情報を表示するオペレーション表示部とから構成される。ここでは、通信装置に接続される電話器の数を手動で設定する際に操作部６が使用される。
【００２０】
符号化復号化部７は、自通信装置から他通信装置へと画信号を送る際に、画信号を符号化圧縮するとともに、他通信装置から画信号を受信した際に、符号化圧縮されている画情報を元の画信号に復号化する。
【００２１】
画像メモリ８は、符号化復号化部７で符号化圧縮された画情報を記憶する。ＦＡＸモデム９は、ＦＡＸ通信を行うためのモデムである。この図ではＦＡＸモデム９としてグループ３ファクシミリモデム（Ｇ３ＦＡＸモデム）が用いられている。Ｇ３ＦＡＸモデムは、グループ３ファクシミリのモデム機能を実現するためのものであり、伝送手順信号をやり取りするための低速モデム機能（Ｖ．２１モデム）、および主に画情報をやり取りするための高速モデム機能（Ｖ．１７モデム、Ｖ．３３モデム、Ｖ．２９モデム、Ｖ．２７ｔｅｒモデムなど）を備えている。
【００２２】
ＤＡＡ（ＳＳＤ）１０は、半導体ＤＡＡのシステムサイドデバイスであり、たとえばコンデンサやパルストランスなどの絶縁体でＴＮＶ（Tele-communication Network Voltage）回路とＳＥＬＶＥ（Safety Extra-Low Voltage）回路を絶縁した状態でＤＡＡ（ＬＳＤ）１１と画情報や制御信号の送受信を行う。また、ＦＡＸモデム９と画情報や制御信号の送受信を行う。
【００２３】
ＤＡＡ（ＬＳＤ）１１は、半導体ＤＡＡのラインサイドデバイスであり、加入者回線網（以下、網という）と接続し、ＦＡＸ通信にかかる画情報の送受信を行うとともに、ＤＡＡ周辺回路１２と合わせて回線閉結／開放、呼出信号の検出、極性反転の検出などの網制御を行う。また、網制御を行うための信号を、ＤＡＡ（ＳＳＤ）１０との間で送受信する。
【００２４】
ＤＡＡ周辺回路１２は、網をＦＡＸ側と電話器側で切り換えるリレーや電話器がフックされたことを検知するためのフック検知部、電話器を擬似鳴動させるための擬似鳴動回路や電話器接続の有無を検知する電話器検出部を有する。
【００２５】
電話器１３は、通信装置と物理的に接続される。また、電話器１３は、リレー２１を介して網に並列接続され、ＦＡＸによるデータ通信中以外にフックすることで通話を可能とする。
【００２６】
図２は、図１におけるＤＡＡ周辺回路の機能構成と、ＤＡＡ周辺回路とＤＡＡ（ＬＳＤ）とＤＡＡ（ＳＳＤ）との接続関係を示すブロック図である。ここで、ＤＡＡ周辺回路１２は、リレー２１、第１のフック検出部２２、擬似鳴動回路２３、電話器検出部２４、第２のフック検出部２５を備える。
【００２７】
リレー２１は、主制御部１によって信号Ｐ２１を介して制御され、電話器１３側のコモン接点２１ｃを網側の接点２１ａか電話器制御側の接点２１ｂのどちらか一方に接続する２ｃ接点タイプのメカリレーによって構成される。
【００２８】
第１のフック検出部２２は、リレー２１のコモン接点２１ｃが網側の接点２１ａと接続されている状態で電話器１３がフックされた時に流れる電流を検知して、それを信号Ｐ２２を介して主制御部１に伝達することによって電話器１３のフックを検出する。
【００２９】
擬似鳴動回路２３は、リレー２１のコモン接点２１ｃが電話器制御側の接点２１ｂと接続されている状態で、ダイヤルイン機能によって電話器１３を呼び出す場合に、主制御部１からの信号Ｐ２３を受けて鳴動信号を送出して、電話器１３を鳴動させる回路である。
【００３０】
電話器検出部２４は、リレー２１のコモン接点２１ｃが電話器制御側の接点２１ｂと接続されている状態で、電話器の接続の有無を検知し、信号Ｐ２４を介して主制御部１に伝達することで、パラメータメモリ３に電話器接続情報を記憶させる。
【００３１】
第２のフック検出部２５は、リレー２１のコモン接点２１ｃが電話器制御側の接点２１ｂと接続されている状態で、電話器１３がフックされた時に流れる電流を検知して信号Ｐ２５を介して主制御部１に伝達することにより電話器１３のフックを検出する。
【００３２】
この図２に示されるように、局線Ｌ１は、ＤＡＡ（ＬＳＤ）１１に接続されており、さらにＤＡＡ（ＳＳＤ）１０に接続されている。また、網とＤＡＡ（ＬＳＤ）１１との間の局線Ｌ１は、ＤＡＡ周辺回路１２の第１のフック検出部２２に接続されている。第１のフック検出部２２の一端は、リレー２１の網側の接点２１ａと接続されている。
【００３３】
局線Ｌ２も、ＤＡＡ（ＬＳＤ）１１に接続されており、さらにＤＡＡ（ＳＳＤ）１０に接続されている。また、網とＤＡＡ（ＬＳＤ）１１との間の局線Ｌ２は、リレー２１の網側の接点２１ａと接続されている。
【００３４】
リレー２１の電話器側のコモン接点２１ｃが網側の接点２１ａに接続されている場合に、第１のフック検出部２２は、電話器１３がフックされた時に流れる電流を検知する。その検知結果は、信号Ｐ２２を介して主制御部１へと送られる。
【００３５】
リレー２１の電話器制御側の接点２１ｂは、擬似鳴動回路２３、電話器検出部２４、第２のフック検出部２５に接続される。
【００３６】
図３は、電話器と電話器検出部の詳細な機能構成を示すブロック図である。この図３において、電話器１３は、フックされていない状態（オンフック）では、リレー２１のコモン接点２１ｃ側の線Ｔ１，Ｔ２にコンデンサ１３ａが接続されていることと同じ状態となる。また、電話器検出部２４は、リレー２１の線Ｔ１に接続される電話器制御側の接点２１ｂ側に、電源Ｖｃｃと、この電源Ｖｃｃに接続される直列抵抗２４ａを有する。さらに、リレー２１の線Ｔ２に接続される電話器制御側の接点２１ｂ側は、グラウンド電位に接続されている。
【００３７】
この電話器検出部２４の直列抵抗２４ａは、リレー２１のコモン接点２１ｃが電話器制御側の接点２１ｂと接続されている状態で、電源Ｖｃｃを介して直列に接続され、電話器１３（コンデンサ１３ａ）を介して接地する。また、直列抵抗２４ａとリレー２１との間の配線と、接地とリレー２１との間の配線間には、容量成分測定部２４ｂが設けられる。これによって、電話器検出部２４内の容量成分測定部２４ｂで電圧の時間変化を測定することで、ＲＣ回路の時定数を測定することができる。つまり、容量成分の検出を行うことができる。この測定した結果を信号Ｐ２４を介して主制御部１に伝達する。この時定数の測定結果は、主記憶部１によってパラメータメモリ３に電話器接続状態情報として記憶される。なお、容量成分測定部２４ｂでは、電圧ではなく電流の時間変化を検出し、その結果から容量成分の有無を検出することも可能である。
【００３８】
図４は、パラメータメモリに記憶される電話器接続情報の内容の一例を示す図である。この図４では、電話器接続情報として、極性反転検出閾値（以下、極反検出閾値という）のパラメータの一例を示している。この電話器接続情報には、電話器の接続状態を示す電話器接続状態と、電話器接続状態に応じた極反検出閾値と、設定電圧が含まれる。この電話器接続情報中の電話器接続状態に応じて、極反検出閾値が主制御部１によって択一的に選択される。
【００３９】
たとえば、電話器接続状態が「未接続」の場合には、第１極反検出閾値が選択され、電話器接続状態が、電話器が接続されているが接続されている電話器の台数登録がない「接続あり（台数情報なし）」の場合には、第２極反検出閾値が選択される。また、電話器接続状態が、電話器が接続されており、しかも接続されている電話器の台数登録がある「接続あり（接続台数１）」、「接続あり（接続台数２）」、・・・、の場合には、それぞれ第３極反検出閾値、第４極反検出閾値、・・・、というように、接続されている電話器の台数に応じた閾値が選択される。
【００４０】
なお、上記の極反検出閾値は、第１極反検出閾値＞第３極反検出閾値＞第４局半検出閾値・・・であり、第１極反検出閾値＞第２極反検出閾値という関係にあるものとする。これは、電話器接続台数が多いほど通信装置に並列接続される容量成分が大きくなることによる、極性反転発生時の電圧変動波形の鈍りが大きくなるため、単位時間当りの電圧変動が小さくなるためである。
【００４１】
上述した説明では、電話器検出部２４が、電話器１３の有無を検出するようにしているが、操作部６の設定メニューを介して接続されている電話器の有無や接続されている電話器の台数を、使用者が主導で入力するようにしてもよい。この場合、入力された値は、電話器接続状態情報としてパラメータメモリ３に格納され、この電話器接続状態情報に基づいて、電話器接続情報から極反検出閾値が設定されることになる。
【００４２】
このような構成を有する通信装置における極反検出閾値の設定処理手順について説明する。なお、ここでは、極反検出閾値の設定について、（１）通信装置に接続される電話器の有無の情報のみ（台数情報はない）を手動で設定する場合、（２）通信装置に接続される電話器の有無と台数情報を手動で設定する場合、および（３）通信装置に接続される電話器の有無の情報のみ（台数情報はない）を自動で設定する場合、の３つの場合に分けて説明する。
【００４３】
（１）通信装置に接続される電話器の有無の情報のみを手動で設定する場合
図５は、極反検出閾値の手動による設定処理手順の一例を示すフローチャートである。まず、通信装置の電源が起動されると（ステップＳ１１）、通信装置の使用者は、操作部６のオペレーション表示部に表示されている初期設定メニューから、操作キーを介して電話器１３の接続有無情報を入力する（ステップＳ１２）。この電話器１３の接続有無情報には、通信装置に接続されている電話器の有無についての情報が含まれる。
【００４４】
ついで、主制御部１は、使用者によって入力された接続有無情報を、パラメータメモリ３に電話器接続状態情報として記憶する（ステップＳ１３）。その後、主制御部１は、パラメータメモリ３に記憶されている電話器接続情報から、ステップＳ１３で登録された電話器接続状態情報に対応した極反検出閾値を選択する（ステップＳ１４）。図４の例で説明すると、電話器接続状態情報が「電話器無し」と選択（入力）されると、電話器接続情報から第１極反検出閾値が選択される。また、電話器接続状態情報が「電話器有り（台数情報なし）」と選択されると、電話器接続情報から第２極反検出閾値が選択される。
【００４５】
そして、自通信装置に電話器の接続の有無に応じて選択した極反検出閾値を設定する処理を行って（ステップＳ１５）、手動による極反検出閾値の設定処理が終了する。なお、ステップＳ１１では、通信装置の電源が起動された場合を示したが、電話器接続形態が変更になった時でもよい。
【００４６】
（２）通信装置に接続される電話器の有無と台数情報を手動で設定する場合
図６は、極反検出閾値の手動による設定処理手順の一例を示すフローチャートである。なお、この図６では、通信装置に電話器が接続される場合に、その接続台数も含めて手動で入力する点が、（１）の図５の場合と異なる。
【００４７】
まず、通信装置の電源が起動されると（ステップＳ２１）、通信装置の使用者は、操作部６のオペレーション表示部に表示されている初期設定メニューから、操作キーを介して電話器１３の接続有無情報を入力する（ステップＳ２２）。この電話器１３の接続有無情報には、通信装置に接続されている電話器の有無についての情報が含まれる。
【００４８】
ついで、主制御部１は、接続有無情報に、電話器有りが入力されたか否かを識別する（ステップＳ２３）。電話器有りが入力された場合（ステップＳ２３でＹｅｓの場合）には、主制御部１は、操作部６のオペレーション表示部に電話器接続台数登録メニューを表示させる（ステップＳ２４）。その後、使用者は、操作部６の操作キーを介して、通信装置に接続されている電話器接続台数を登録する（ステップＳ２５）。
【００４９】
その後、またはステップ２３で、接続有無情報に電話器有りが入力されなかった場合（ステップＳ２３でＮｏの場合）に、主制御部１は、使用者によって入力された接続有無情報と電話器接続台数とを、パラメータメモリ３に電話器接続状態情報として記憶する（ステップＳ２６）。その後、主制御部１は、パラメータメモリ３に記憶されている電話器接続情報から、すなわち、ステップＳ２２とステップＳ２５で入力された電話器接続状態情報（電話器の接続台数）から、電話器の接続台数を含めた接続状態に応じた極反検出閾値を選択する（ステップＳ２７）。図４の例で説明すると、電話器接続状態が「電話器無し」と選択（入力）されると、電話器接続情報から第１極反検出閾値が選択される。また、電話器接続状態が「電話器有り（接続台数１）」と選択されると、電話器接続情報から第３極反検出閾値が選択される。
【００５０】
そして、自通信装置に選択した極反検出閾値を設定する処理を行って（ステップＳ２８）、手動による極反検出閾値の設定処理が終了する。なお、ステップＳ２１では、通信装置の電源が起動された場合を示したが、電話器接続形態が変更になった時でもよい。
【００５１】
（３）通信装置に接続される電話器の有無の情報のみ（台数情報ない）を自動で設定する場合
図７は、極反検出閾値の自動による設定処理手順の一例を示すフローチャートである。まず、通信装置の電源が起動されると（ステップＳ３１）、主制御部１は、リレー２１のコモン接点２１ｃを電話器制御側の接点２１ｂ側に切り換える（ステップＳ３２）。その後、電話器検出部２４は、時定数ＲＣの測定を行う（ステップＳ３３）。図３で説明した通り、電話器１３はオンフック状態ではコンデンサ１３ａが線Ｔ１，Ｔ２に接続された状態となるので、電話器検出部２４に内蔵の抵抗２４ａと直列に接続され、ＲＣの直列回路が構成される。これによって、電話器１３が接続されていない場合には、Ｃはオープンとなるため、時定数ＲＣ＝０となる。また、電話器１３が接続されている場合には、ＲＣ＞０となる。このようにして、電話器検出部２４によって、電話器１３の接続の有無を自動検出することが可能となる。この電話器検出部２４による時定数の測定結果は、主制御部１へ信号Ｐ２４によって送信される。
【００５２】
ついで、主制御部１は、電話器検出部２４によって測定された時定数がＲＣ＞０か否かを識別する（ステップＳ３４）。時定数がＲＣ＞０の場合（ステップＳ３４でＹｅｓの場合）には、電話器１３が接続されていることになるので、主制御部１は、パラメータメモリ３に電話器１３が接続されているという情報を電話器接続状態情報として記録する（ステップＳ３５）。また、時定数がＲＣ＞０でない（ＲＣ＝０の）場合（ステップＳ３４でＮｏの場合）には、電話器１３が接続されていないことになるので、主制御部１は、パラメータメモリ３に電話器１３が接続されていないという情報を電話器接続状態情報として記録する（ステップＳ３６）。
【００５３】
その後またはステップ３５の後、主制御部１は、パラメータメモリ３に記憶されている電話器接続情報から、ステップＳ３５またはステップＳ３６で記録された電話器接続状態情報に応じた極反検出閾値を選択する（ステップＳ３７）。図４の例で説明すると、電話器接続状態が「電話器無し」として検出された場合には、電話器接続情報から第１極反検出閾値が選択される。また、電話器接続状態が「電話器有り（台数情報なし）」として検出された場合には、電話器接続情報から第２極反検出閾値が選択される。そして、自通信装置に選択した極反検出閾値を設定する処理を行って（ステップＳ３８）、自動による極反検出閾値の設定処理が終了する。
【００５４】
つぎに、以上の図５におけるステップＳ１５、図６におけるステップＳ２８、および図７におけるステップＳ３８における極反閾値設定処理について説明する。図８は、パラメータメモリ内部の極反検出閾値が選択された後の極反閾値設定処理の手順の一例を示すフローチャートである。主制御部１は、リレー２１のコモン接点２１ｃを網側の接点２１ａか電話器制御側の接点２１ｂのどちらかに、使用者が指定する方向に切り換える。これは、通常の通信装置（ファクシミリ装置）において、電話器１３を常時接続しておくか、ＦＡＸを優先として呼出信号があった場合に電話器１３を鳴動させないようにするために電話器１３を回線から切り離しておくかについて、使用者が選択できるようになっていることによる。そして、リレー２１のコモン接点２１ｃの接点の接続方向を確認する（ステップＳ４１）。
【００５５】
リレー２１のコモン接点２１ｃの接点の接続方向が網側の接点２１ａである場合には、図５のステップＳ１４、図６のステップＳ２７または図７のステップＳ３７で検出された極反検出閾値をパラメータメモリ３から読み出してＤＡＡ（ＳＳＤ）１０に設定し（ステップＳ４２）、極反検出閾値の設定処理が終了する。
【００５６】
一方、リレー２１のコモン接点２１ｃの接点の接続方向が電話器制御側の接点２１ｂの場合には、第１極反検出閾値をパラメータメモリ３から読み出してＤＡＡ（ＳＳＤ）１０に設定し（ステップＳ４３）、極反検出閾値の設定処理が終了する。このステップＳ４３において、リレー２１のコモン接点２１ｃの接点の接続方向が電話器制御側の接点２１ｂ側の状態では、電話器１３は回線から切り離されており、電話器１３が接続されていないのと同じ状態である。そのため、実際の通信装置への電話器接続状態に関係なく、電話器１３が接続されていない状態と同じであるので、パラメータメモリ３の電話器接続状態中から第１極反検出閾値が設定される。
【００５７】
なお、上述した説明では、通信装置として電話器を接続することができるＦＡＸを例に挙げて説明したが、このほかにも画像形成装置にも本発明を適用することができる。
【００５８】
本実施の形態によれば、通信装置に電話器が接続された場合に、接続された電話器に合わせて極性反転を検出する際の単位時間当たりの電圧の変動値を変動させるようにしたので、極性反転を正確に検出することができるという効果を有する。
【図面の簡単な説明】
【００５９】
【図１】本発明にかかる通信装置の構成を示すブロック図である。
【図２】図１におけるＤＡＡ周辺回路の機能構成と、ＤＡＡ周辺回路とＤＡＡ（ＬＳＤ）とＤＡＡ（ＳＳＤ）との接続関係を示すブロック図である。
【図３】電話器と電話器検出部の詳細な機能構成を示すブロック図である。
【図４】電話器接続情報の内容の一例を示す図である。
【図５】極反検出閾値の手動による設定処理手順の一例を示すフローチャートである。
【図６】極反検出閾値の手動による設定処理手順の一例を示すフローチャートである。
【図７】極反検出閾値の自動による設定処理手順の一例を示すフローチャートである。
【図８】パラメータメモリ内部の極反検出閾値が選択された後の極反閾値設定処理の手順の一例を示すフローチャートである。
【図９】ＦＡＸにおける電話器とＦＡＸの自動切替えを実行する部分の機能を模式的に示す構成図である。
【図１０】ＦＡＸのダイヤルイン機能の処理手順を示すシーケンス図である。
【図１１−１】ＦＡＸに電話器が接続されていない場合の極性反転の発生と電圧変動の関係を模式的に示す図である。
【図１１−２】ＦＡＸに電話器が接続されている場合の極性反転の発生と電圧変動の関係を模式的に示す図である。
【符号の説明】
【００６０】
１  主制御部
２  システムメモリ
３  パラメータメモリ
４  スキャナ
５  プロッタ
６  操作部
７  符号化復号化部
８  画像メモリ
９  ＦＡＸモデム
１０  ＤＡＡ（ＳＳＤ）
１１  ＤＡＡ（ＬＳＤ）
１２  ＤＡＡ周辺回路
１３  電話器
２１  リレー
２１ａ  コモン接点
２１ｂ  電話器制御側の接点
２１ｃ  網側の接点
２２  第１のフック検出部
２３  擬似鳴動回路
２４  電話検出器
２５  第２のフック検出部
【図１】
2008072554.tif 000003
【図２】
2008072554.tif 000004
【図３】
2008072554.tif 000005
【図４】
2008072554.tif 000006
【図５】
2008072554.tif 000007
【図６】
2008072554.tif 000008
【図７】
2008072554.tif 000009
【図８】
2008072554.tif 000010
【図９】
2008072554.tif 000011
【図１０】
2008072554.tif 000012
【図１１−１】
2008072554.tif 000013
【図１１−２】
2008072554.tif 000014